(57)【要約】【課題】  マスクと顔面の空隙からの花粉等の異物の浸入を極力阻止することに加えて、マスク本体に容易に着脱自在であり、しかも使い回しによる劣化を少なくしたノーズフィッター及びそれを用いたマスクを提供する。【解決手段】  ノーズフィッター１０は、細長の平板の中央部を平板の長手方向の一端１ａと他端１ｂの内面が対向し、折り曲げ部１ｃが鼻の形状に合わせて曲線を描くように恒久的に折り曲げてなる板状体１と、この板状体１の外面に対向するように板状体１に接続され、それぞれがマスク挟み溝部５を形成する第１の挟み板２ａ，第２の挟み板２ｂ及び第３の挟み板２ｃと、を備え、マスク本体２１の上縁部を複数のマスク挟み溝部５に挟み込み可能としたものである。【選択図】図１
2015156972.tif 000002
【特許請求の範囲】
【請求項１】
平板の中央部を平板の長手方向の一端（１ａ）と他端（１ｂ）の内面が対向し、折り曲げ部（１ｃ）が曲線を描くように折り曲げてなる板状体（１）と、
板状体（１）の外面に対向するように板状体（１）に接続され、それぞれマスク挟み溝部（５）を形成する１枚以上の挟み板（２ａ，２ｂ，２ｃ）と、を備え、マスク本体（２１）の上縁部をマスク挟み溝部（５）に挟み込み可能としたことを特徴とするノーズフィッター。
【請求項２】
前記板状体（１）に、板状体（１）を折り曲げ部（１ｃ）とは逆方向へ折り曲げるのを容易にするためのスリット（４）又は溝が形成されていることを特徴とする請求項１に記載のノーズフィッター。
【請求項３】
前記マスク挟み溝部（５）の口先が開くように、マスク挟み板（２ａ，２ｂ，２ｃ）が外側に反っていることを特徴とする請求項１または２に記載のノーズフィッター。
【請求項４】
マスク本体（２１）と、
マスク本体（２１）の両端に取り付けられた掛け紐（２２）と、
マスク本体（２１）の上縁部に着脱自在に取り付けられたノーズフィッター（１０）と、を備え、
前記ノーズフィッター（１０）は、平板の中央部を平板の長手方向の一端（１ａ）と他端（１ｂ）の内面が対向し、折り曲げ部（１ｃ）が曲線を描くように折り曲げてなる板状体（１）と、
板状体（１）の外面に対向するように板状体（１）に接続され、マスク挟み溝部（５）を形成する１枚以上の挟み板（２ａ，２ｂ，２ｃ）と、を備え、前記板状体（１）を鼻から頬にかけての顔面の形状に合わせて折り曲げ部（１ｃ）とは逆方向に折り曲げて、マスク本体（１）の上縁部をマスク挟み溝部（５）に挟み込んだことを特徴とするマスク。
【請求項５】
前記板状体（１）に、板状体（１）を折り曲げ部（１ｃ）とは逆方向へ折り曲げるのを容易にするためのスリット（４）又は溝が形成されていることを特徴とする請求項４に記載のマスク。
【請求項６】
前記マスク挟み溝部（５）の口先が開くように、マスク挟み板（２ａ，２ｂ，２ｃ９が外側に反っていることを特徴とする請求項４または５に記載のマスク。
【発明の詳細な説明】
【技術分野】
【０００１】
本発明は、ノーズフィッター及びマスクに関する。
【背景技術】
【０００２】
従来より、花粉、細菌、ウイルス等の異物を遮蔽するため、顔面に当てるマスクが広く使用されている。しかし、マスクの上端部と顔面の間には、鼻から頬にかけての起伏により空隙が生じやすく、この空隙から花粉等の異物が浸入する問題があった。そこで、マスクを顔面にできるだけ密着させて、マスクと顔面の空隙からの花粉等の浸入を極力阻止するためにノーズフィッターが取り付けられる。
【０００３】
特許文献１には、マスク本体の上縁部に形状記憶部材からなるノーズフィッターを外部から見えないように縫い込みにより取り付けるものが記載されている。
【０００４】
特許文献２には、マスク本体の内側に所定の形状保持部材からなるノーズフィッターをその接着層により接着するものが記載されている。
【先行技術文献】
【特許文献】
【０００５】
【特許文献１】特開２００６−２３０９６２号公報
【特許文献２】特開２０１１−３０６８０号公報
【発明の概要】
【発明が解決しようとする課題】
【０００６】
しかしながら、特許文献１に記載のノーズフィッターは、マスク本体に縫い込むので、使用済みのマスク本体から取り出して別の新しいマスクに使い回すことはできない。特許文献２に記載のノーズフィッターは、接着層により接着するものなので、使用済みのマスク本体から剥がして、ある程度は別のマスクに使い回すことはできると考えられるが、接着層の劣化により使い回しの回数は限られたものになる。
【０００７】
そこで、本発明は、マスクと顔面の空隙からの花粉等の異物の浸入を極力阻止することに加えて、マスク本体に容易に着脱自在であり、しかも使い回しによる劣化を少なくしたノーズフィッター及びそれを用いたマスクを提供することを目的とする。
【課題を解決するための手段】
【０００８】
本発明のノーズフィッターは、平板の中央部を平板の長手方向の一端（１ａ）と他端（１ｂ）の内面が対向し、折り曲げ部（１ｃ）が曲線を描くように折り曲げてなる板状体（１）と、板状体（１）の外面に対向するように板状体（１）に接続され、それぞれマスク挟み溝部（５）を形成する１枚以上の挟み板（２ａ，２ｂ，２ｃ）と、を備え、マスク本体（２１）の上縁部をマスク挟み溝部（５）に挟み込み可能としたことを特徴とする。
【０００９】
また、本発明のマスクは、マスク本体（２１）と、マスク本体（２１）の両端に取り付けられた掛け紐（２２）と、マスク本体（２１）の上縁部に着脱自在に取り付けられたノーズフィッター（１０）と、を備え、前記ノーズフィッター（１０）は、平板の中央部を平板の長手方向の一端（１ａ）と他端（１ｂ）の内面が対向し、折り曲げ部（１ｃ）が曲線を描くように折り曲げてなる板状体（１）と、板状体（１）の外面に対向するように板状体（１）に接続され、マスク挟み溝部（５）を形成する１枚以上の挟み板（２ａ，２ｂ，２ｃ）と、を備え、前記板状体（１）を鼻から頬にかけての顔面の形状に合わせて折り曲げ部（１ｃ）とは逆方向に折り曲げて、マスク本体（１）の上縁部をマスク挟み溝部（５）に挟み込んだことを特徴とする。
【発明の効果】
【００１０】
本発明によれば、マスクと顔面の空隙からの花粉等の異物の浸入を極力阻止することに加えて、マスク本体に容易に着脱自在であり、しかも使い回しによる劣化を少なくしたノーズフィッター及びそれを用いたマスクを提供することができる。 また、本発明によれば、マスクのずれを防止し、メガネの曇りを軽減することもできる。
【図面の簡単な説明】
【００１１】
【図１】本発明の実施形態におけるノーズフィッターの平面図である。
【図２】本発明の実施形態におけるノーズフィッターの正面図である。
【図３】本発明の実施形態におけるノーズフィッターの側面図である。
【図４】本発明の実施形態におけるノーズフィッターの側面の部分拡大図である。
【図５】本発明の実施形態におけるノーズフィッターの取り付け方法を説明する斜視図である。
【図６】本発明の実施形態におけるノーズフィッターが取り付けられたマスクの斜視図である。
【図７】本発明の実施形態におけるノーズフィッターが一回転して取り付けられたマスクの斜視図である。
【発明を実施するための形態】
【００１２】
本発明の実施形態を図面に基づいて説明する。図１は、本発明の実施形態におけるノーズフィッターの平面図、図２はその正面図、図３はその側面図、図４は、図３の破線で囲んだ部分の拡大図である。
【００１３】
図示のように、ノーズフィッター１０は、細長の平板の中央部を平板の長手方向の一端１ａと他端１ｂの内面が対向し、折り曲げ部１ｃが鼻の形状に合わせて曲線を描くように折り曲げてなる板状体１と、この板状体１の外面に対向するように板状体１に接続され、それぞれがマスク挟み溝部５を形成する第１の挟み板２ａ，第２の挟み板２ｂ及び第３の挟み板２ｃと、を備え、マスク本体２１の上縁部を３個のマスク挟み溝部５に挟み込み可能としたものである。
【００１４】
板状体１は、折り曲げ部１ｃから両側に直線状に延びている。第１の挟み板２ａは、直線状に延びた板状体１の一端１ａに形成され、第２の挟み板２ｂは直線状に延びた板状体１の他端１ｂに形成され、第３の挟み板２ｃは板状体１の中央の折り曲げ部１ｃに形成されることがマスク２０への取り付け上好ましい。第１の挟み板２ａ，第２の挟み板２ｂ及び第３の挟み板２ｃはいずれも板状体１の短辺方向の一端から延びて狭い底を形成し、底から板状体１の外面に対向するように折れ曲がっており、この部分を断面でみるとＵ字形またはコの字形になっている。折り曲げ部１ｃから両側に延びた板状体１の部分は、若干外側に湾曲していてもよい。
【００１５】
第１の挟み板２ａ，第２の挟み板２ｂ及び第３の挟み板２ｃと、板状体１の外面で囲まれた空間がマスク挟み溝部５である。また、図１の例では、ノーズフィッター１０は、板状体１の長手方向中央に対して左右対称になっている。
【００１６】
図１の破線で示すように、板状体１の２つの直線状部分３（つまり折り曲げ部１ｃと板状体１の一端１ａとの間であって、第１の挟み板２ａが形成されていない部分、及び折り曲げ部１ｃと板状体１の他端１ｂとの間であって、第２の挟み板２ｂが形成されていない部分）は、鼻から頬にかけての形状に合わせて、板状体１を折り曲げ部１ｃとは逆方向へ折り曲げられる。この折り曲げを容易にするために、板状体１の前記２つの直線状部分３に、スリット（穴）４又は溝などの加工が施されていることが好ましい。この場合、スリット（穴）４又は溝は、板状体１の長手方向に対して斜め方向にまたは直角方向に複数個形成することが好ましい。
【００１７】
ノーズフィッター１０の全部の構成要素を例えば樹脂等で形成した場合、板状体１はある程度の弾性を持つが、逆方向への折り曲げが弾性限界を超えて変形すると、変形後の折り曲げ形状が保持されることになる。
【００１８】
また、図４に例示するように、マスク２０の本体上縁部を複数のマスク挟み溝部５に容易に挟み込むことができるように、マスク挟み溝部５の口先が開くように、マスク挟み板２ａ，２ｂ，２ｃが外側に反っていることが好ましい。
【００１９】
上述のノーズフィッター１０を形成するために適した素材としては、耐久性、機械的特性等を考慮すると、ＡＢＳ樹脂、アクリル樹脂、ビニール樹脂、ナイロン樹脂、ＰＬＡ樹脂等の樹脂や、アルミニウム等の軽金属が挙げられる。特に、ＡＢＳ樹脂は、剛性、高度、耐衝撃性、曲げ疲労性など機械的特性のバランスに優れているので、ノイズフィッター１０に用いて好適である。
【００２０】
また、第１の挟み板２ａ，第２の挟み板２ｂ及び第３の挟み板２ｃはノーズフィッター本体である板状体１と一体に、板状体１と同じ素材で形成されることが好ましい。ノーズフィッター１０は、例えば樹脂を素材とする場合、３次元プリンターを用いることで一体形成することが可能である。
【００２１】
マスク挟み板２ａ，２ｂ，２ｃの個数や形成位置は適宜変更してもよい。この場合、マスク挟み板は、１枚でもよく、板状体１の長手方向の一部又は全体に渡って板状体１と一体に形成してもよい。１枚のマスク挟み板を板状体１の長手方向の全体に渡って形成する場合、マスク挟み板と板状体１は同じ形状であり、断面でみるとＵ字形になっている。このとき、折り曲げを容易にするためのスリット（穴）４又は溝などの加工は、マスク挟み板と板状体１の両方又は一方に施される。
【００２２】
次に、図５乃至図６に基づいて、ノーズフィッター１０のマスク２０への取り付け方法を説明する。先ず、図５に示すように、ノーズフィッター１０をマスク挟み溝部５を下方に向けて手に持つ。そして、板状体１の２つの直線状部分３を鼻から頬にかけての形状に合わせて、板状体１を折り曲げ部１ｃとは逆方向へ折り曲げる。マスク２０は、マスク本体２１と、マスク本体２１の両端に取り付けられた掛け紐２２を備えている。
【００２３】
次に、図６に示すように、マスク本体２１の上縁部をノーズフィッター１０の形状に沿って変形させ、マスク本体２１の上縁部を第１の挟み板２ａ，第２の挟み板２ｂ及び第３の挟み板２ｃのマスク挟み溝部５に挟み込むことで、ノーズフィッター１０を取り付ける。
【００２４】
言い換えれば、マスク本体２１の上縁部は、ノーズフィッター１０の第１の挟み板２ａ，第２の挟み板２ｂ及び第３の挟み板２ｃと、板状体１の外面の間で挟まれて保持されることになる。このとき、第１の挟み板２ａ，第２の挟み板２ｂ及び第３の挟み板２ｃはマスク本体２１の外側に位置し、板状体１はマスク本体２１の内側に位置するように取り付ける。
【００２５】
これにより、マスク本体２１と顔面の空隙がほとんどなくなり、花粉等の異物の浸入を極力阻止することできることに加えて、メガネの曇りを軽減することもできる。
これに加えて、ノーズフィッター１０は、上方に引っ張ることでマスク本体２１から簡単に取り外すことができ、同様の方法で別のマスク２０に取り付けることができる。また、ノーズフィッター１０は、マスク挟み板を用いた機械的な取り付け方式を採用しているので、使い回しによる劣化が少ないという利点もある。
【００２６】
マスク本体２１の上縁部に、予め針金が縫い込まれている場合には、第１の挟み板２ａ，第２の挟み板２ｂ及び第３の挟み板２ｃで針金を挟み込むようにすることで、ノーズフィッター１０の取り付けをより簡単に行うことができる。
【００２７】
また、図７に示すように、図６のノーズフィッター１０の取り付け状態において、ノーズフィッター１０を、マスク本体２１を巻き込むように一回転させることで、更に強固にマスク本体２１を顔面に密着させることができる。これにより、会話等をするために口を動かしたときでもマスク本体２１がずれ下がるといった不具合が防止される。しかも、ノーズフィッター１０はマスク本体２１の生地に包まれた状態で顔面に接触するので肌触りが良いという利点もある。
【符号の説明】
【００２８】
１  板状体
１ａ  板状体の一端
１ｂ  板状体の他端
２ａ  第１の挟み板
２ｂ  第２の挟み板
２ｃ  第３の挟み板
３  直線状部分
４  スリット
５  マスク挟み溝
１０  ノーズフィッター
２０  マスク
２１  マスク本体
２２  掛け紐
【図１】
2015156972.tif 000003
【図２】
2015156972.tif 000004
【図３】
2015156972.tif 000005
【図４】
2015156972.tif 000006
【図５】
2015156972.tif 000007
【図６】
2015156972.tif 000008
【図７】
2015156972.tif 000009